(57)【特許請求の範囲】
【請求項１】
管を受容する受口を有するゴム輪接合伸縮継手の接続構造であって、
前記ゴム輪接合伸縮継手は、前記受口の端部に形成されるかつゴム輪を受容するゴム輪受容部、前記ゴム輪受容部より奥部に形成されるかつ管軸に対して第１所定角度で奥部に向かって拡径される拡径部、前記拡径部に続いて前記拡径部の終端と同じ径で形成される平坦部、および前記平坦部に続いて形成されるかつ前記管軸に対して第２所定角度で奥部に向かって縮径される縮径部を備え、
前記拡径部の前記管軸方向の長さは、前記接続構造で確保すべき伸長代の長さとほぼ同じ長さに設定され、前記平坦部の前記管軸方向の長さと前記縮径部の前記管軸方向の長さとの合計長さは、前記接続構造で確保すべき収縮代の長さとほぼ同じ長さに設定され、
前記第１所定角度は、前記接続構造に屈曲性を持たせるために所定の屈曲角度に応じた角度であって、前記管の先端を前記拡径部の内面から前記平坦部の内面へと案内する角度に設定され、前記第２所定角度は、前記管の先端が前記縮径部の内面に当接したとき、前記管の先端を前記受口のさらに奥部へと案内する角度に設定され、さらに
管端が前記平坦部の手前に位置決めされて、前記管と前記ゴム輪接合伸縮継手とが接合された、ゴム輪接合伸縮継手の接続構造。
【発明の詳細な説明】
【０００１】
【産業上の利用分野】
この発明はゴム輪接合伸縮継手の接続構造に関し、特にたとえば上水道配管やゴルフ場の散水用配管等のような圧送配管に用いられる、ゴム輪接合伸縮継手の接続構造に関する。
【０００２】
【従来の技術】
図６に示すこの種の従来のゴム輪接合伸縮継手１は、先端から奥部へ向けて所定角度で拡径された受口２を含む。受口２の先端部内周面には、ゴム輪受容部３が形成され、このゴム輪受容部３にゴム輪４が装着される。そして、受口２に管５が挿入され、管５の外周面と受口２の内周面との隙間がゴム輪４によって封止される。管５の接合後、地震等による地盤変位に伴って管路にこれを屈曲する方向の外力が作用すると、ゴム輪４が装着された部分を中心として管路が屈曲され、それによって管路の歪みが吸収される。
【０００３】
【発明が解決しようとする課題】
従来技術では、ゴム輪４が装着された部分を中心として管路が屈曲されることによって管路の歪みが吸収され得るが、管路に屈曲方向の外力が作用するとともに収縮方向（軸方向）の外力が作用した場合には、図７中二点鎖線で示すように、管５の先端が受口２の奥端部Ａに突き当たり、管路に過大な外力が作用して管路が座屈（Ｂ部）する恐れがあった。
【０００４】
それゆえに、この発明の主たる目的は、管路が座屈するのを防止できる、ゴム輪接合伸縮継手の接続構造を提供することである。
【０００５】
【課題を解決するための手段】
この発明は、管を受容する受口を有するゴム輪接合伸縮継手の接続構造であって、ゴム輪接合伸縮継手は、受口の端部に形成されるかつゴム輪を受容するゴム輪受容部、ゴム輪受容部より奥部に形成されるかつ管軸に対して第１所定角度で奥部に向かって拡径される拡径部、拡径部に続いて拡径部の終端と同じ径で形成される平坦部、および平坦部に続いて形成されるかつ管軸に対して第２所定角度で奥部に向かって縮径される縮径部を備え、拡径部の管軸方向の長さは、接続構造で確保すべき伸長代の長さとほぼ同じ長さに設定され、平坦部の管軸方向の長さと縮径部の管軸方向の長さとの合計長さは、接続構造で確保すべき収縮代の長さとほぼ同じ長さに設定され、第１所定角度は、接続構造に屈曲性を持たせるために所定の屈曲角度に応じた角度であって、管の先端を拡径部の内面から平坦部の内面へと案内する角度に設定され、第２所定角度は、管の先端が縮径部の内面に当接したとき、管の先端を受口のさらに奥部へと案内する角度に設定され、さらに管端が平坦部の手前に位置決めされて、管とゴム輪接合伸縮継手とが接合された、ゴム輪接合伸縮継手の接続構造である。
【０００６】
【作用】
ゴム輪接合伸縮継手に管を接合する際には、管の先端を平坦部の手前に位置決めし、接合部において所定長さの伸長代および収縮代を確保する。管を接合した後、管路にこれを屈曲する方向の外力が作用すると、ゴム輪が装着された部分を中心として第１所定角度の範囲内で管路が屈曲され、管路の歪みが吸収される。一方、管路にこれを収縮する方向の外力が作用すると、管が受口のさらに奥部へと挿入されて管路が収縮される。さらに、管路に屈曲方向の外力が作用するとともに収縮方向の外力が作用すると、管の先端が拡径部，平坦部および縮径部のそれぞれの内面に案内されて受口の奥部へと挿入される。
【０００７】
【発明の効果】
この発明によれば、管路に屈曲方向の外力が作用するとともに収縮方向の外力が作用したときでも、管の先端を受口の奥部へとスムーズに案内できるので、受口内において管の先端が突き当たるのを防止でき、管路が座屈するのを防止できる。
【０００８】
この発明の上述の目的，その他の目的，特徴および利点は、図面を参照して行う以下の実施例の詳細な説明から一層明らかとなろう。
【０００９】
【実施例】
図１に示すこの実施例のゴム輪接合伸縮継手１０は、伸縮性および屈曲性を有して管１２を接合するためのものであり、たとえば塩化ビニル等のような合成樹脂からなるかつ管１２の内径とほぼ同じサイズの内径を有する管路部１４および管路部１４と連続して形成される拡径受口１６を含む。
【００１０】
受口１６の先端部内周面には、ゴム輪受容部１８が形成される。そして、受口１６におけるゴム輪受容部１８より奥部には、管軸２０に対して第１の所定角度θ１  で奥部へ向かって拡径する拡径部２２が形成され、拡径部２２に続いて、拡径部２２の終端と同じ径で平坦部２４が形成される。さらに、平坦部２４に続いて、管軸２０に対して第２の所定角度θ２  で奥部へ向かって縮径する縮径部２６が形成される。
【００１１】
ここで、第１の所定角度θ１  は、継手１０および管１２を含む管路に屈曲性を持たせるために、想定される屈曲角度に応じた角度（この実施例では３°）に設定され、第２の所定角度θ２  は、管１２の先端が縮径部２６の内面に当接したとき、管１２の先端を受口１６のさらに奥部へとスムーズに案内し得るような角度（この実施例では３０°）に設定される。また、拡径部２２の管軸方向の長さＬ１  は、確保すべき伸長代の長さとほぼ同じ長さに設定され、平坦部２４の管軸方向の長さＬ２  は、縮径部２６の軸方向の長さＬ３  との合計長さＬ２  ＋Ｌ３  が確保すべき収縮代の長さとほぼ同じ長さとなるように設定される。
【００１２】
また、ゴム輪受容部１８より先方には、管軸２０に対して所定角度で先方へ向かって拡径する入口部２８が形成される。そして、ゴム輪受容部１８にゴム輪３０が装着される。
継手１０を用いて管１２を接合する際には、管１２の先端が受口１６内に挿入され、平坦部２４の手前に位置決めされる（図１）。
【００１３】
管１２の接合後、地震等による地盤変位に伴って継手１０および管１２を含む管路にこれを屈曲する方向の外力が作用すると、図２に示すように、ゴム輪３０が装着された部分を中心として管路が屈曲され、管路の歪が吸収される。また、管路にこれを収縮する方向の外力が作用すると管１２が受口１６のさらに奥部へ挿入され、伸長する方向の外力が作用すると管１２が受口１６から引き出され、いずれの場合においても管路の歪みが吸収される。
【００１４】
さらに、管路に屈曲方向の外力が作用するとともに収縮方向の外力が作用すると、図３に示すように、管１２の先端が平坦部２４の内面に接触した状態で受口１６の奥部へ挿入される。図３に示す状態から、さらに収縮方向の外力が管路に作用すると、管１２の先端が縮径部２６の内面に案内されて受口１６のさらに奥部へ挿入され、図４に示すように、管１２が縮径部２６の内面で縮径されかつ縮径部２６が拡径されて管路部１４内へ強制的に挿入される。
【００１５】
この実施例によれば、管路に屈曲方向の外力が作用するとともに収縮方向の外力が作用した場合でも、管１２の先端が拡径部２２，平坦部２４および縮径部２６のそれぞれの内面によって受口１６の奥部へとスムーズに案内され得る。すなわち、拡径部２２と縮径部２６との間に平坦部２４を設けることによって、受口１６の内面を緩やかな角度で変化させるようにしているので、管１２の先端が受口１６の奥部（縮径部２６の内面）に突き当たるのを防止できる。したがって、管路に過大な荷重が加わるのを防止でき、管路が座屈するのを防止できる。
【００１６】
また、平坦部２４によって十分な長さの収縮代を確保できるので、管路の収縮に十分に対応できる。
なお、上述の実施例では、受口１６の先端部内周面に、拡径部２２の先端から二段に拡径するゴム輪受容部１８を形成した場合を示したが、たとえば図５に示すように、二段ではなく一段に拡径するゴム輪受容部３２を形成するようにしてもよい。
【図面の簡単な説明】
【図１】この発明の一実施例を示す図解図である。
【図２】管路に屈曲方向の外力が作用した状態を示す図解図である。
【図３】管路に屈曲方向および収縮方向の外力が作用した状態を示す図解図である。
【図４】図３の状態からさらに収縮方向の外力が管路に作用した状態を示す図解図である。
【図５】この発明の他の実施例を示す図解図である。
【図６】従来技術を示す図解図である。
【図７】従来技術において管路が座屈した状態を示す図解図である。
【符号の説明】
１０  …ゴム輪接合伸縮継手
１２  …管
１４  …管路部
１６  …受口
１８，３２  …ゴム輪受容部
２２  …拡径部
２４  …平坦部
２６  …縮径部
３０  …ゴム輪
【図１】
0003543520.tif 000002
【図２】
0003543520.tif 000003
【図３】
0003543520.tif 000004
【図４】
0003543520.tif 000005
【図５】
0003543520.tif 000006
【図６】
0003543520.tif 000007
【図７】
0003543520.tif 000008